(57)【特許請求の範囲】
【請求項１】
共振棒が複数配設され、互いに隣接しない２つの共振棒の近傍にそれぞれ設けられた結合棒間に線路が配設されるフィルタ装置を、共振器ケース内に共振棒のみが配設された共振器と組み合わせて構成する共振器において、
共振器ケース内に配設された共振棒と所定の間隔を開けて平行に配設されるとともにネジ穴が形成され、前記共振棒に励振された高周波信号を電磁界結合する結合棒を有し、
共振器ケース内に共振棒のみが配設された共振器と前記フィルタ装置を構成する際には、導体よりなるネジを前記ネジ穴にネジ結合させることによって前記線路を前記結合棒に固定的に接続する
ことを特徴とする共振器。
【請求項２】
共振棒が複数配設され、互いに隣接しない２つの共振棒の近傍にそれぞれ設けられた結合棒間に線路が配設されるフィルタ装置を、共振器ケース内に共振棒のみが配設された共振器と組み合わせて構成する共振器において、
共振器ケース内に配設された共振棒と一体的に配設されるとともにネジ穴が形成された結合棒を有し、
共振器ケース内に共振棒のみが配設された共振器と前記フィルタ装置を構成する際には、導体よりなるネジを前記ネジ穴にネジ結合させることによって前記線路を前記結合棒に固定的に接続する
ことを特徴とする共振器。
【請求項３】
共振棒が複数配設され、互いに隣接しない２つの共振棒の近傍にそれぞれ設けられた結合棒間に線路が配設されるフィルタ装置を、共振器ケース内に共振棒のみが配設された共振器と組み合わせて構成する共振器において、
共振器ケース内に絶縁体を介して配設され、該共振器ケース内に配設された共振棒と所定の間隔を開けて平行に配設されるとともにネジ穴が形成され、前記共振棒に励振された高周波信号を電磁界結合する結合棒を有し、
共振器ケース内に共振棒のみが配設された共振器と前記フィルタ装置を構成する際には、絶縁体よりなるネジを前記ネジ穴にネジ結合させることによって前記線路を前記結合棒に固定的に接続する
ことを特徴とする共振器。
【請求項４】
請求項１および２のいずれか１項に記載の共振器において、
前記共振棒と前記結合棒とは前記共振器ケースと一体形成される
ことを特徴とする共振器。
【請求項５】
請求項１、２、３または４のいずれか１項に記載の共振器において、
前記線路は、板状の金属導体で構成される
ことを特徴とする共振器。
【請求項６】
請求項１、２、３または４のいずれか１項に記載の共振器において、
前記線路は、前記絶縁基板上に形成された導体パターンで構成される
ことを特徴とする共振器。
【請求項７】
請求項１、２、３または４のいずれか１項に記載の共振器において、
前記線路は、金属線で構成される
ことを特徴とする共振器。
【発明の詳細な説明】
【技術分野】
【０００１】
本発明は、共振器に関し、さらに詳細には、共振棒により励振された高周波信号を導体からなる線路を介して伝播することが可能な共振器に関する。
【背景技術】
【０００２】
従来より、共振棒を備えた共振器において、当該共振棒により励振された高周波信号を導体よりなる線路を介して伝播させる際の構成として、結合棒方式、タップ結合方式およびアンテナ方式などが知られている。
【０００３】
ここで結合棒方式とは、共振器内に導体よりなる線路が接続された結合棒を備えるものであり、また、タップ結合方式とは、導体よりなる線路が共振棒に接続されるものであり、また、アンテナ方式とは、共振器内で共振棒と電気的に接触することなく導体よりなる線路が配設されるものである。
【０００４】
ここで、図１乃至図３を参照しながら結合棒方式、タップ結合方式およびアンテナ方式の各方式に対応する共振器の構成について、より詳細に説明することとする。
【０００５】
図１（ａ）には、結合棒方式の共振器の概略構成説明図が示されており、また、図１（ｂ）には、図１（ａ）のＡ−Ａ線による断面図が示されており、また、図２（ａ）には、タップ結合方式の共振器の概略構成説明図が示されており、また、図２（ｂ）には、図２（ａ）のＢ−Ｂ線による断面図が示されており、また、図３（ａ）には、アンテナ方式の共振器の概略構成説明図が示されており、また、図３（ｂ）には、図３（ａ）のＣ−Ｃ線による断面図が示されている。
【０００６】
この図１に示す結合棒方式の共振器１００は、共振器ケース１０２と短絡状態で配設された共振棒１０４と、共振器ケース１０２と短絡状態で配設されるとともに、共振棒１０４と所定の間隔Ｌ１を開けて配設される結合棒１０６と、結合棒１０６に接続される導体よりなる線路１０８とを有して構成されている。
【０００７】
なお、所定の間隔Ｌ１は、共振棒１０４と結合棒１０６とが電磁界結合する最適な間隔とする。
【０００８】
こうした構成の共振器１００に高周波信号が入力されると、共振棒１０４に励振された高周波信号が、結合棒１０６に電磁界結合し、結合棒１０６に接続された線路１０８に伝播するものである。
【０００９】
また、図２に示すタップ結合方式の共振器１１０は、共振器ケース１１２と短絡状態で配設された共振棒１１４と、共振棒１１４に接続される導体よりなる導線１１６とを有して構成されている。
【００１０】
こうした構成の共振器１１０に高周波信号が入力されると、共振棒１１４に励振された高周波信号が、線路１１６に給電される。
【００１１】
また、図３に示すアンテナ方式の共振器１２０は、共振器ケース１２２と短絡状態で配設された共振棒１２４と、共振棒１２４と所定の間隔Ｌ２を開けて、共振器ケース１２２および共振棒１２４と電気的に接触することなく配設された線路１２６とを有して構成されている。なお、線路１２６は導体よりなり、共振棒１２４と平行に延設されたアンテナ部１２６ａと、アンテナ部１２６ａと直交する方向に延設された伝播部１２６ｂとにより構成されている。
【００１２】
また、線路１２６は、例えば、ポリテトラフルオロエチレン（ｐｏｌｙｔｅｔｒａｆｌｕｏｒｏｅｔｈｙｌｅｎｅ）といった絶縁材料により共振ケース１２２に固定されることとなる。
【００１３】
なお、所定の間隔Ｌ２は、共振棒１２４と伝播部１２６ｂとが電磁界結合する最適な間隔とする。
【００１４】
こうした構成の共振器１２０に高周波信号が入力されると、共振棒１２４に励振された高周波信号が、アンテナ部１２６ａと電磁界結合し、伝播部１２６ｂを伝播するものである。
【００１５】
そして、こうした共振棒により励振された高周波信号を線路を介して伝播する構成を有する共振器１００、１１０、１２０は、共振棒のみを備えた共振器などと組み合わされて所定のフィルタを作製することができるものである。
【００１６】
ここで、図４を参照しながら、上記した共振器１００を利用した帯域通過フィルタについて説明する。
【００１７】
図４（ａ）には、従来の技術による結合棒方式の共振器を利用した帯域通過フィルタの一部を破断した概略構成説明図が示されており、また、図４（ｂ）には、図４（ａ）のＩ−Ｉ線による断面図が示されている。
【００１８】
この図４に示す帯域通過フィルタ２００は、筐体２０２内に、４つの共振棒２０４ａ、２０４ｂ、２０４ｃ、２０４ｄが隣り合う共振棒と所定の間隔Ｌ３を開けて配設され、共振棒２０４ａと所定の間隔Ｌ１を設けて結合棒２０６が配設され、共振棒２０４ｄと所定の間隔Ｌ１を開けて結合棒２０８が配設されている。
【００１９】
つまり、この帯域通過フィルタ２００においては、共振棒のみを備えた共振器を２つ使用するとともに、上記した共振器１００を２つ使用した構成となっており、共振棒２０４ａ、２０４ｂおよび結合棒２０６、２０８が共振器１００における共振棒１０４および結合棒１０６となる。
【００２０】
そして、帯域通過フィルタ２００においては、結合棒２０６と結合棒２０８とが導体よりなる線路２１０により接続されている。
【００２１】
こうした構成において、帯域通過フィルタ２００に高周波信号を入力すると、入力端子２１２から入力された高周波信号は、結合線路２１４を介して入力結合棒２１６へ伝播する。
【００２２】
入力結合棒２１６へ伝播した高周波信号は、共振棒２０４ａに電磁界結合し、所望の共振周波数で励振する。
【００２３】
共振棒２０４ａに励振された高周波信号は、隣り合う共振棒へ電磁界結合して共振棒２０４ｄまで伝播し、共振棒２０４ｄに励振された高周波信号は、出力結合棒２１８と電磁界結合する。
【００２４】
その後、出力結合棒２１８に到達した高周波信号は、結合線路２２０を介して出力端子２２２から出力される。
【００２５】
一方、一部の高周波信号は、共振棒２０４ａにおいて励振された後、結合棒２０６に電磁界結合する。
【００２６】
そして、結合棒２０６に電磁界結合した高周波信号は、導線からなる線路２１０を介して伝播して結合棒２０８に到達し、共振棒２０４ｄと電磁界結合する。
【００２７】
このとき、共振棒２０４ａ、２０４ｂ、２０４ｃを介して共振棒２０４ｄまで伝播した高周波信号と、共振棒２０４ａ、結合棒２０６、線路２１０、結合棒２０８を介して共振棒２０４ｄまで伝播した高周波信号との間には位相差が生じることとなる。
【００２８】
こうした生じた位相差を利用して帯域通過フィルタ２００のフィルタ特性に、減衰極の形成や群遅延等化の作用を生じさせるようにする。
【００２９】
なお、こうした帯域通過フィルタにおいては、図５に示すように、共振器１００に代えて共振器１１０を用いる構成としてもよいし、図６に示すように、共振器１００に代えて共振器１２０を用いる構成としてもよいものである。
【００３０】
即ち、共振器１００に代えて共振器１１０を用いる帯域通過フィルタ３００においては、結合棒２０６、２０８が設けられず、導線よりなる線路２１０の一方の端部が共振棒２０４ａに接続され、他方の端部が共振棒２０４ｄに接続されている点において帯域通過フィルタ２００と異なっている。
【００３１】
つまり、この帯域通過フィルタ３００においては、共振棒２０４ａ、２０４ｄが共振器１１０における共振棒１１４となる。
【００３２】
また、共振器１００に代えて共振器１２０を用いる帯域通過フィルタ４００においては、結合棒２０６、２０８が設けられず、導線よりなる線路２１０がアンテナ部２１０ａ、２１０ｂと伝播部２１０ｃにより構成され、アンテナ部２１０ａが共振棒２０４ａの近傍に所定の間隔Ｌ２を開けて配設され、アンテナ部２１０ｂが共振棒２０４ｂの近傍に所定の間隔Ｌ２を開けて配設されている点において帯域通過フィルタ２００と異なっている。
【００３３】
つまり、この帯域通過フィルタ４００においては、共振棒２０４ａ、２０４ｂおよびアンテナ部２１０ａ、２１０ｂが共振器１２０における共振棒１２４およびアンテナ部１２６ａとなる。
【００３４】
ここで、こうした共振器１００においては、ハンダ付けにより線路１０８が結合棒１０６に接続されるものであり、また、共振器１１０においては、ハンダ付けにより線路１１６が共振棒１１４に接続されるものである。
【００３５】
しかしながら、共振器１００、１１０におけるこうしたハンダ付けの作業においては、特殊な技術が必要となるため、経験のない作業者は、共振器１００および共振器１１０を容易に作製することができないという問題点があった。
【００３６】
また、共振器１００においては、生産コストを抑制するためにダイキャストなどの工法により、共振器ケース１０２、共振棒１０４、結合棒１０６を一体成型する場合がある。
【００３７】
さらに、共振器１１０においても、同様に、ダイキャストなどの工法により、共振器ケース１１２、共振棒１１４を一体成型する場合がある。
【００３８】
この場合、ハンダ付けによって線路を接続する際にハンダごての熱が共振器ケースなどから放熱されてしまい、ハンダ付けの作業性が悪化してしまうという問題が生じていた。
【００３９】
さらに、共振器１１０においては、ダイキャストの工法上、共振棒１１４の側面に線路１１６を接続するための穴を設けることが困難な場合もあり、容易に共振棒１１４と共振器ケース１１２とを一体成型することができないという問題点があった。
【００４０】
また、共振器１２０においては、ダイキャストなどの工法により共振器ケース１２２と共振棒１２４とを一体成型することが可能であるが、線路１２６においてアンテナ１２６ａを共振器ケース１２２や共振棒１２４に接触しないように開放状態にする必要があり、共振棒１２４と開放状態で線路１２６を配設するための治具を用いる必要があった。
【００４１】
従って、共振器１２０をダイキャストなどの工法により一体成型する場合には、こうした治具による線路１２６の配設作業を行わなければならず、作業性が悪いという問題点があった。
【００４２】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００４３】
本発明は、上記したような従来の技術の有する種々の問題点に鑑みてなされたものであり、その目的とするところは、高周波信号を線路を介して伝播することが可能な共振器において、ハンダを用いることなく線路を配設可能な共振器を提供しようとするものである。
【００４４】
また、本発明の目的とするところは、高周波信号を線路を介して伝播することが可能な共振器において、簡単な構成により共振棒と短絡していない状態で線路を所定の位置に配設することが可能な共振器を提供しようとするものである。
【課題を解決するための手段】
【００４５】
上記目的を達成するために、本発明は、共振棒が複数配設され、互いに隣接しない２つの共振棒の近傍にそれぞれ設けられた結合棒間に線路が配設されるフィルタ装置を、共振器ケース内に共振棒のみが配設された共振器と組み合わせて構成する共振器において、共振器ケース内に配設された共振棒と所定の間隔を開けて平行に配設されるとともにネジ穴が形成され、上記共振棒に励振された高周波信号を電磁界結合する結合棒を有し、共振器ケース内に共振棒のみが配設された共振器と上記フィルタ装置を構成する際には、導体よりなるネジを上記ネジ穴にネジ結合させることによって上記線路を上記結合棒に固定的に接続するようにしたものである。
【００４６】
また、本発明は、共振棒が複数配設され、互いに隣接しない２つの共振棒の近傍にそれぞれ設けられた結合棒間に線路が配設されるフィルタ装置を、共振器ケース内に共振棒のみが配設された共振器と組み合わせて構成する共振器において、共振器ケース内に配設された共振棒と一体的に配設されるとともにネジ穴が形成された結合棒を有し、共振器ケース内に共振棒のみが配設された共振器と上記フィルタ装置を構成する際には、導体よりなるネジを上記ネジ穴にネジ結合させることによって上記線路を上記結合棒に固定的に接続するようにしたものである。
【００４７】
また、本発明は、共振棒が複数配設され、互いに隣接しない２つの共振棒の近傍にそれぞれ設けられた結合棒間に線路が配設されるフィルタ装置を、共振器ケース内に共振棒のみが配設された共振器と組み合わせて構成する共振器において、共振器ケース内に絶縁体を介して配設され、該共振器ケース内に配設された共振棒と所定の間隔を開けて平行に配設されるとともにネジ穴が形成され、上記共振棒に励振された高周波信号を電磁界結合する結合棒を有し、共振器ケース内に共振棒のみが配設された共振器と上記フィルタ装置を構成する際には、絶縁体よりなるネジを上記ネジ穴にネジ結合させることによって上記線路を上記結合棒に固定的に接続するようにしたものである。
【００４８】
また、本発明は、上記した発明において、上記共振棒と上記結合棒とは上記共振器ケースと一体形成されるようにしたものである。
【００４９】
また、本発明は、上記した発明において、上記線路は、板状の金属導体で構成されるようにしたものである。
【００５０】
また、本発明は、上記した発明において、上記線路は、上記絶縁基板上に形成された導体パターンで構成されるようにしたものである。
【００５１】
また、本発明は、上記した発明において、上記線路は、金属線で構成されるようにしたものである。
【発明の効果】
【００５２】
本発明は、以上説明したように構成されているので、高周波信号を線路を介して伝播することが可能な共振器において、ハンダ付け作業を行うことなく線路を配設することができるという優れた効果を奏するものである。
【００５３】
また、本発明は、以上説明したように構成されているので、高周波信号を線路を介して伝播することが可能な共振器において、簡単な構成により共振棒と短絡していない状態で線路を所定の位置に配設することができるという優れた効果を奏するものである。
【図面の簡単な説明】
【００５４】
【図１】図１（ａ）は、従来の技術による結合棒方式の共振器を示す概略構成説明図であり、また、図１（ｂ）は、図１（ａ）のＡ−Ａ線断面図である。
【図２】図２（ａ）は、従来の技術によるタップ結合方式の共振器を示す概略構成説明図であり、また、図２（ｂ）は、図２（ａ）のＢ−Ｂ線断面図である。
【図３】図３（ａ）は、従来の技術によるアンテナ方式の共振器を示す概略構成説明図であり、また、図３（ｂ）は、図３（ａ）のＣ−Ｃ線断面図である。
【図４】図４（ａ）は、従来の技術による結合棒方式の共振器を利用した帯域通過フィルタの一部を破断した概略構成説明図であり、また、図４（ｂ）は、図４（ａ）のＩ−Ｉ線断面図である。
【図５】図５（ａ）は、従来の技術によるタップ結合方式の共振器を利用した帯域通過フィルタの一部を破断した概略構成説明図であり、また、図５（ｂ）は、図５（ａ）のＩＩ−ＩＩ線断面図である。
【図６】図６（ａ）は、従来の技術によるアンテナ方式の共振器を利用した帯域通過フィルタの一部を破断した概略構成説明図であり、また、図６（ｂ）は、図６（ａ）のＩＩＩ−ＩＩＩ線断面図である。
【図７】図７（ａ）は、本発明の第１の実施の形態による共振器を示す概略構成説明図であり、また、図７（ｂ）は、図７（ａ）のＤ−Ｄ線断面図であり、また、図７（ｃ）は、結合棒と線路との接続前の状態を示す説明図である。
【図８】図８（ａ）は、本発明の第２の実施の形態による共振器を示す概略構成説明図であり、また、図８（ｂ）は、図８（ａ）のＥ−Ｅ線断面図であり、また、図８（ｃ）は、結合棒と絶縁基板との接続前の状態を示す説明図である。
【図９】図９（ａ）は、本発明の第３の実施の形態による共振器を示す概略構成説明図であり、また、図９（ｂ）は、図９（ａ）のＦ−Ｆ線断面図であり、また、図９（ｃ）は、結合棒と金属線との接続前の状態を示す説明図である。
【図１０】図１０（ａ）は、本発明の第４の実施の形態による共振器を示す概略構成説明図であり、また、図１０（ｂ）は、図１０（ａ）のＧ−Ｇ線断面図であり、また、図１０（ｃ）は、結合棒と線路との接続前の状態を示す説明図である。
【図１１】図１１（ａ）は、本発明の第５の実施の形態による共振器を示す概略構成説明図であり、また、図１１（ｂ）は、図１１（ａ）のＨ−Ｈ線断面図であり、また、図１１（ｃ）は、結合棒、線路、スペーサおよび共振器ケースの接続前の状態を示す説明図である。
【図１２】図１２（ａ）は、本発明による結合棒方式の共振器を利用した帯域通過フィルタの一部を破断した概略構成説明図であり、また、図１２（ｂ）は、図１２（ａ）のＩＶ−ＩＶ線断面図である。
【図１３】図１３（ａ）は、本発明による結合棒方式の共振器を利用した帯域通過フィルタの一部を破断した概略構成説明図であり、また、図１３（ｂ）は、図１３（ａ）のＶ−Ｖ線断面図である。
【図１４】図１４（ａ）は、本発明による結合棒方式の共振器を利用した帯域通過フィルタの一部を破断した概略構成説明図であり、また、図１４（ｂ）は、図１４（ａ）のＶＩ−ＶＩ線断面図である。
【図１５】図１５（ａ）は、本発明によるタップ結合方式の共振器を利用した帯域通過フィルタの一部を破断した概略構成説明図であり、また、図１５（ｂ）は、図１５（ａ）のＶＩＩ−ＶＩＩ線断面図である。
【図１６】図１６（ａ）は、本発明にいるアンテナ方式の共振器を利用した帯域通過フィルタの一部を破断した概略構成説明図であり、また、図１６（ｂ）は、図１６（ａ）のＶＩＩＩ−ＶＩＩＩ線の断面図である。
【発明を実施するための形態】
【００５５】
以下、添付の図面を参照しながら、本発明による共振器の実施の形態の一例を詳細に説明するものとする。
【００５６】
なお、以下の説明においては、図１乃至図６を参照しながら説明した従来の共振器と同一または相当する構成については、上記において用いた符号と同一の符号を用いて示すことにより、その詳細な構成ならびに作用効果の説明は適宜に省略することとする。
【００５７】
まず、図７を参照しながら、本発明による共振器の第１の実施の形態について説明する。
【００５８】
図７（ａ）には、本発明の第１の実施の形態による共振器の概略構成説明図が示されており、また、図７（ｂ）には、図７（ａ）のＤ−Ｄ線による断面図が示されており、また、図７（ｃ）には、結合棒と線路との接続前の状態を示す説明図が示されている。
【００５９】
この図７に示す共振器１０は、内部が中空の共振器ケース１２内において一体的に形成された共振棒１４と、共振棒１４と所定の間隔Ｌ４を開けて共振器ケース１２に一体的に形成された結合棒１６と、板状の金属により作製され、結合棒１６にネジ１８により接続される線路２０とを有して構成されている。
【００６０】
なお、このネジ１８は導体により作製されており、例えば、共振器ケース１２あるいは線路２０と同じ素材により作製されている。
【００６１】
結合棒１６の上端部１６ａには、ネジ１８とネジ結合可能なネジ穴１６ｂが設けられており、また、線路２０の端部には、ネジ１８が挿入可能な孔２０ａが設けられている。
【００６２】
そして、結合棒１６の上端部１６ａにおいて、ネジ穴１６ｂ上に孔２０ａが位置するように線路２０を配置し、ネジ１８の軸１８ａを孔２０ａに通してネジ穴１６ｂにはめ込み、ネジ１８を所定の方向に回転させることによりネジ１８を結合棒１６にネジ結合させて結合棒１６に線路２０を固定するようになされている。
【００６３】
こうした構成のため、結合棒１６と線路２０とが電気的に接続された状態となっている。
【００６４】
なお、所定の間隔Ｌ４は、共振棒１４に励振された高周波信号が結合棒１６に電磁界結合するのに最適な間隔である。
【００６５】
こうした構成の共振器１０に高周波信号が入力されると、共振棒１４に励振された高周波信号は、結合棒１６に電磁界結合し、結合棒１６に接続された線路２０に伝播することとなる。
【００６６】
即ち、この第１の実施の形態において説明した共振器１０は、結合棒方式の共振器１００に代えて利用することができるものである。
【００６７】
次に、図８を参照しながら、本発明による共振器の第２の実施の形態について説明する。
【００６８】
図８（ａ）には、本発明の第２の実施の形態による共振器の概略構成説明図が示されており、また、図８（ｂ）には、図８（ａ）のＥ−Ｅ線による断面図が示されており、また、図８（ｃ）には、結合棒と絶縁基板との接続前の状態を示す説明図が示されている。
【００６９】
この図８に示す共振器３０は、内部が中空の共振器ケース３２内に一体的に形成された共振棒３４と、共振棒３４と所定の間隔Ｌ４を開けて共振器ケース３２に一体的に形成された結合棒３６と、導体パターン４０ａが形成されるとともに、結合棒３６にネジ３８により接続される絶縁基板４０とを有して構成されている。
【００７０】
なお、ネジ３８は導体により作製されており、例えば、共振器ケース３２あるいは導体パターン４０ａと同じ素材により形成されている。
【００７１】
結合棒３６の上端部３６ａには、ネジ３８とネジ結合可能なネジ穴３６ｂが設けられており、また、絶縁基板４０における導体パターン４０ａの端部には絶縁基板４０を貫通するようにしてネジ３８が挿入可能な孔４０ａｂが設けられている。
【００７２】
そして、結合棒３６の上端部３６ａにおいて、ネジ穴３６ｂ上に孔４０ａｂが位置するように絶縁材料４０を配置し、ネジ３８の軸３８ａを孔４０ａｂに通してネジ穴３６ｂにはめ込み、ネジ３８を所定の方向に回転させることによりネジ３８を結合棒３６にネジ結合させて結合棒３６に絶縁基板４０を固定するようになされている。
【００７３】
こうした構成のため、結合棒３６と導体パターン４０ａとが電気的に接続された状態となっている。
【００７４】
なお、所定の間隔Ｌ４は、共振棒３４に励振された高周波信号が結合棒３６に電磁界結合するのに最適な間隔である。
【００７５】
こうした構成の共振器３０に高周波信号が入力されると、共振棒３４に励振された高周波信号は、結合棒３６に電磁界結合し、結合棒３６と電気的に接続された導体パターン４０ａに伝播することとなる。
【００７６】
即ち、この第２の実施の形態において説明した共振器３０は、結合棒方式の共振器１００に代えて利用することができるものである。
【００７７】
次に、図９を参照しながら、本発明による共振器の第３の実施の形態について説明する。
【００７８】
図９（ａ）には、本発明の第３の実施の形態による共振器の概略構成説明図が示されており、また、図９（ｂ）には、図９（ａ）のＦ−Ｆ線による断面図が示されており、また、図９（ｃ）には、結合棒と金属線との接続前の状態を示す説明図が示されている。
【００７９】
この図９に示す共振器５０は、内部が中空の共振器ケース５２内に一体的に形成された共振棒５４と、共振棒５４と所定の間隔Ｌ４を開けて共振器ケース５２に一体的に形成された結合棒５６と、一方の端部においてリングを形成し、結合棒５６にネジ５８により接続される金属線６０とを有して形成されている。
【００８０】
なお、ネジ５８は導体により作製されており、例えば、共振器ケース５２あるいは金属線６０と同じ素材により作製されている。
【００８１】
結合棒５６の上端部５６ａには、ネジ５８とネジ結合可能なネジ穴５６ｂが設けられており、また、金属線６０では、一方の端部においてリング６０ａが形成されている。
【００８２】
そして、結合棒５６の上端部５６ａにおいて、ネジ穴５６ｂ上に金属線６０において形成したリング６０ａが位置するように金属線６０を配置し、ネジ５８の軸５８ａをリングに通してネジ穴５８ｂにはめ込み、ネジ５８を所定の方向に回転させることによりネジ５８を結合棒５６にネジ結合させて結合棒５６に金属線６０を固定するようになされている。
【００８３】
こうした構成のため、結合棒５６と金属線６０とが電気的に接続された状態となっている。
【００８４】
なお、所定の間隔Ｌ４は、共振棒５４に励振された高周波信号が結合棒５６に電磁界結合するのに最適な間隔である。
【００８５】
こうした構成の共振器５０に高周波信号が入力されると、共振棒５４に励振された高周波信号は、結合棒５６に電磁界結合し、結合棒５６と電気的に接続された金属線６０に伝播することとなる。
【００８６】
即ち、この第３の実施の形態において説明した共振器５０は、結合棒方式の共振器１００に代えて利用することができるものである。
【００８７】
次に、図１０を参照しながら、本発明による共振器の第４の実施の形態について説明する。
【００８８】
図１０（ａ）には、本発明の第４の実施の形態による共振器の概略構成説明図が示されており、また、図１０（ｂ）には、図１０（ａ）のＧ−Ｇ線による断面図が示されており、また、図１０（ｃ）には、結合棒と線路との接続前の状態を示す説明図が示されている。
【００８９】
この図１０に示す共振器７０は、内部が中空の共振器ケース７２内に一体的に形成された共振棒７４と、共振器ケース７２に一体的に形成されるとともに、共振棒７４と一体的に形成された結合棒７６と、板状の金属により作製され、結合棒７６にネジ７８により接続される線路８０とを有して構成されている。
【００９０】
このネジ７８は導体により作製されており、例えば、共振器ケース７２あるいは線路８０と同じ素材により作製されている。
【００９１】
結合棒７６の上端部７６ａには、ネジ７８とネジ結合可能なネジ穴７６ｂが設けられており、また、線路８０の端部には、ネジ７８が挿入可能な孔８０ａが設けられている。
【００９２】
そして、結合棒７６の上端部７６ａにおいて、ネジ穴７６ｂ上に孔８０ａが位置するように線路８０を配置し、ネジ７８の軸７８ａを孔８０ａに通してネジ穴７６ｂにはめ込み、ネジ７８を所定の方向に回転させることによりネジ７８を結合棒７６にネジ結合させて結合棒７６に線路８０を固定するようになされている。
【００９３】
なお、線路８０の配置位置としては、共振棒７４の接触しない程度の間隔を設けていればよい。
【００９４】
こうした構成により結合棒７６と線路８０とが電気的に接続された状態となり、このため、共振棒７４と線路８０とが結合棒７６を介して電気的に接続された状態となっている。
【００９５】
こうした構成の共振器７０に高周波信号が入力されると、共振棒７４に励振された高周波信号は、結合棒７６を介して線路８０に給電されることとなる。
【００９６】
この第４の実施の形態において説明した共振器７０は、共振棒７４と線路８０とが結合棒７６を介して電気的に接続されているためタップ結合方式として作用するものであり、タップ結合方式の共振器１１０に代えて利用することができるものである。
【００９７】
次に、図１１を参照しながら、本発明による共振器の第５の実施の形態について説明する。
【００９８】
図１１（ａ）には、本発明の第５の実施の形態による共振器の概略構成説明図が示されており、また、図１１（ｂ）には、図１１（ａ）のＨ−Ｈ線による断面図が示されており、また、図１１（ｃ）には、結合棒、線路、スペーサおよび共振器ケースの接続前の状態を示す説明図が示されている。
【００９９】
この図１０に示す共振器９０は、内部が中空の共振器ケース９２内に一体的に形成された共振棒９４と、絶縁体よりなるスペーサ８２を介して共振器ケース９２に配設されるとともに、共振棒９４と所定の間隔Ｌ５を開けて配設された結合棒９６と、板状の金属により作製され、結合棒９６とネジ９８により接続される線路８４とを有して構成されている。
【０１００】
なお、このネジ９８は、絶縁体により作製されており、例えば、スペーサ８２と同じ素材により作製されている。
【０１０１】
結合棒９６には、上端面９６ａから下端面９６ｃまで貫通するように、ネジ９８とネジ結合可能なネジ穴９６ｂが設けられており、また、線路８４には、ネジ９８が挿入可能な孔８４ａが設けられている。
【０１０２】
また、共振器ケース９２には、共振棒９４が配設された面９２ａに、ネジ９８とネジ結合可能なネジ穴９２ａａが設けられている。
【０１０３】
さらに、スペーサ８２は、結合棒９６と略同径の円板形状であり、上端面８２ａから下端面８２ｃまで貫通するように、ネジ９８とネジ結合可能なネジ穴８２ｂが設けられている。
【０１０４】
そして、結合棒９６、線路８４、スペーサ８２を共振器ケース９２に配設するには、まず、共振器ケース９２のネジ穴９２ａａ上にネジ穴８２ｂが位置するようにスペーサ８２を配置する。
【０１０５】
次に、スペーサ８２の上端面８２ｃにおいて、ネジ穴８２ｂ上にネジ穴９６ｂが位置するように結合棒９６を配置し、さらに、結合棒９６の上端面９６ａにおいて、ネジ穴９６ｂ上に孔８４ａが位置するよう線路８４を配置する。
【０１０６】
その後、ネジ９８の軸９８ａを孔８４ａに通してネジ穴９８ｂにはめ込み、ネジ９８を所定の方向に回転させてネジ９８を結合棒９６にネジ結合させ、さらに所定の方向にネジ９８を回転させてネジ９８とスペーサ８２とをネジ結合させるとともに、軸９８ａとネジ穴９２ａａとをネジ結合させる。
【０１０７】
これにより、共振器ケース９２にスペーサ８２を介して結合棒９６が配設されるとともに、結合棒９６と線路８４とが固定的に接続されることとなる。
【０１０８】
従って、結合棒９６と線路８４とは電気的に接続された状態となるが、結合棒９６および線路８４は共振器ケース９２と電気的に接続されていない状態となっている。
【０１０９】
なお、ネジ穴９２ａａは、共振器ケース９２において、結合棒９６をネジ９８による配設した際に、結合棒９６が共振棒９４と所定の間隔Ｌ５を開けて配設される位置に設けられている。こうした所定の間隔Ｌ５は、共振棒９４に励振された高周波信号が結合棒９６に電磁界結合するのに最適な間隔となっている。
【０１１０】
こうした構成の共振器９０に高周波信号が入力されると、共振棒９４に励振された高周波信号は、結合棒９６に電磁界結合し、結合棒９６に接続された線路８４に伝播することとなる。
【０１１１】
この第５の実施の形態において説明した共振器９０は、結合棒９６が、共振棒９４と所定に間隔Ｌ５を開けて配設されるとともに、共振器ケース９２とスペーサ８２を介して絶縁された状態で配設されているため、アンテナ方式として作用するものであり、アンテナ方式の共振器１２０に代えて利用することができるものである。
【０１１２】
ここで、図１２を参照しながら、上記した共振器１０を利用した帯域通過フィルタについて説明する。
【０１１３】
図１２（ａ）には、本発明による結合棒方式の共振器を利用した帯域通過フィルタの一部を破断した概略構成説明図が示されており、また、図１２（ｂ）には、図１２（ａ）のＩＶ−ＩＶ線による断面図が示されている。
【０１１４】
この図１２に示す帯域通過フィルタ５００は、筐体５０２内に、４つの共振棒５０４ａ、５０４ｂ、５０４ｃ、５０４ｄが隣り合う共振棒と所定の間隔Ｌ３を開けて配設され、共振棒５０４ａと所定の間隔Ｌ４を開けて結合棒５０６が配設され、共振棒５０４ｄと所定の間隔Ｌ４を開けて結合棒５０８が配設されている。
【０１１５】
つまり、この帯域通過フィルタ５００においては、共振棒のみを備えた共振器を２つ使用するとともに、上記した共振器１０を２つ使用した構成となっており、共振棒５０４ａ、５０４ｄおよび結合棒５０６、５０８が共振器１０における共振棒１４および結合棒１６となる。
【０１１６】
そして、結合棒５０６と結合棒５０８とが板状の金属よりなる線路５１０により接続されており、結合棒５０６はネジ５２４により線路５１０と接続されており、結合棒５０８はネジ５２６により線路５１０と接続されている。
【０１１７】
こうした構成において、帯域通過フィルタ５００に高周波信号を入力すると、入力端子５１２から入力された高周波信号は、結合線路５１４を介して入力結合棒５１６へ伝播する。
【０１１８】
入力結合棒５１６へ伝播した高周波信号は、共振棒５０４ａへ電磁界結合し、所望の共振周波数で励振する。
【０１１９】
共振棒５０４ａに励振された高周波信号は、隣り合う共振棒へ電磁界結合して共振棒５０４ｄまで伝播し、共振棒５０４ｄに励振された高周波信号は、出力結合棒５１８と電磁界結合する。
【０１２０】
その後、出力結合棒５１８に到達した高周波信号は、結合線路５２０を介して出力端子５２２から出力される。
【０１２１】
一方、一部の高周波信号は、共振棒５０４ａにおいて励振された後、結合棒５０８に電磁界結合する。
【０１２２】
そして、結合棒５０６に電磁界結合した高周波信号は、線路５１０を介して伝播して結合棒５０８に到達し、共振棒５０４ｄと電磁界結合する。
【０１２３】
このとき、共振棒５０４ａ、５０４ｂ、５０４ｃを介して共振棒５０４ｄまで伝播した高周波信号と共振棒５０４ａ、結合棒５０６、線路５１０、結合棒５０８を介して共振棒５０４ｄまで伝播した高周波信号との間には位相差が生じることとなる。
【０１２４】
こうして生じた位相差を利用して帯域通過フィルタ５００のフィルタ特性に、減衰極の形成や群遅延等化の作用を生じさせるようにすることができる。
【０１２５】
なお、結合棒５０６、５０８は、互いに隣接していない共振棒間において近傍に配設されるものであり、例えば、結合棒５０６が共振棒５０４ａの近傍に設けられている場合には、結合棒５０８を共振棒５０４ｃ、５０４ｄのいずれか一方に配設することができるものである。
【０１２６】
また、帯域通過フィルタ５００における結合線路５１４と入力結合棒５１６とをネジ５２８で接続するようにするとともに、結合線路５２０と出力結合棒５１８とをネジ５３０で接続する。
【０１２７】
同様に、共振器３０を使用して帯域通過フィルタを作製した場合には、図１３に示すようになり、共振器５０を使用して帯域通過フィルタを作製した場合には、図１４に示すようになり、共振器７０を使用して帯域通過フィルタを作製した場合には、図１５に示すようになり、共振器９０を使用して帯域通過フィルタを作製した場合には、図１６に示すようになる。
【０１２８】
即ち、共振器３０を使用して作製した帯域通過フィルタ６００においては、板状の金属よりなる線路５１０に代えて導体パターン６１０ａが設けられた絶縁基板６１０が結合棒５０６、５０８にそれぞれネジ５２４、５２６によって接続されている点において帯域通過フィルタ５００と異なっている。
【０１２９】
また、共振器５０を使用して作製した帯域通過フィルタ７００においては、板状の金属よりなる線路５１０に代えて金属線７１０が結合棒５０６、５０８にそれぞれネジ５２４、５２６によって接続されている点において帯域通過フィルタ５００と異なっている。
【０１３０】
また、共振器７０を使用して作製した帯域通過フィルタ８００においては、結合棒５０６、５０８に代えて、共振棒５０４ａ、５０４ｄとそれぞれ一体的に形成された結合棒８０６、８０８に板状の金属よりなる線路５１０がそれぞれネジ５２４、５２６によって接続されている点において異なっている。
【０１３１】
また、共振器９０を使用して作製した帯域通過フィルタ９００においては、結合棒５０６に代えて、スペーサ９１２を介して結合棒９０６が板状の金属よりなる線路５１０の一方の端部とネジ５２４により筐体５０２に固定されるとともに、結合棒５０８に代えて、スペーサ９１４を介して結合棒９０８が板状の金属よりなる線路５１０の他方の端部とネジ５２６により筐体５０２に固定されている点において異なっている。
【０１３２】
このようにして従来の技術による共振器１００、１１０、１２０と同様に、本発明による共振器１０、３０、５０、７０、９０において、所望のフィルタを形成することができるものである。
【０１３３】
以上において説明したように、本発明による共振器１０においては、共振器ケース１２および共振棒１４と一体的に形成された結合棒１６を備え、結合棒１６においてネジ１８により板状の金属よりなる線路２０を接続するようにした。
【０１３４】
また、本発明による共振器３０においては、共振器ケース３２および共振棒３４と一体的に形成された結合棒３６を備え、結合棒３６においてネジ３８により導体パターン４０ａの形成された絶縁基板４０を接続するようにした。
【０１３５】
さらに、本発明による共振器５０においては、共振器ケース５２および共振棒５４と一体的に形成された結合棒５６を備え、結合棒５６においてネジ５８により金属線６０を接続するようにした。
【０１３６】
さらにまた、本発明による共振器７０においては、共振器ケース７２および共振棒５４と一体的に形成され、共振棒５４と接した状態で結合棒７６を備え、結合棒７６においてネジ７８により板状の金属よりなる線路８０を接続するようにした。
【０１３７】
このため、本発明による共振器１０、３０、５０、７０においては、結合棒に伝播手段である導体よりなる線路をネジにより接続することとなり、ハンダ付け作業を行うことなく、容易に、共振器ケース、共振棒および結合棒を一体成型することができることとなる。
【０１３８】
また、本発明による共振器９０においては、共振器ケース９２の共振棒９４が一体的に形成された面９２ａにスペーサ８２を介して結合棒９６が配設され、結合棒９６に金属板よりなる線路８４を接続し、ネジ９８により線路８４、結合棒９６およびスペーサ８２を共振器ケース９２に固定的に配設するようにした。
【０１３９】
このため、本発明による共振器９０においては、孔９２ａａを設ける位置を決定するとともに、予め寸法設定されたスペーサを用いることにより、所望の位置において、容易に結合棒９６と線路８４とを共振器ケース９２に短絡していない状態で配設することが可能であり、共振器９０を作製する際には、従来の技術のように、特別な治具を必要としなくなる。
【０１４０】
なお、上記した実施の形態は、以下の（１）乃至（７）に示すように変形することができるものである。
【０１４１】
（１）上記した実施の形態においては、第３の実施の形態において説明した共振器５０において、金属線６０の一方の端部においてリング６０ａを形成し、リング６０ａに軸５８ａを通した後に結合棒５６のネジ穴５６ｂに軸５８ａをはめ込み、ネジ５８を所定の方向に回転させることにより結合棒５６に金属線６０を固定するようにしたが、これに限られるものではないことは勿論であり、結合棒５６のネジ穴５６ｂに軸５８ａをはめ込み、ネジ５８を所定の方向に回転させて、予め結合棒５６にネジ５８を固定しておき、その後、ネジ５８の軸５８ａに金属線６０を所定量だけ巻き付けて、金属線６０を結合棒５６に接続するようにしてもよい。
【０１４２】
（２）上記した実施の形態においては、第３の実施の形態において説明した共振器５０において、伝播手段として金属線６０を使用するようにしたが、これに限られるものではないことは勿論であり、金属線６０に代えてケーブルを使用し、ケーブルの先端の中心導体をリング状に形成した後に、ネジ５８を用いて結合棒５６に接続するようにしてもよい。
【０１４３】
（３）上記した実施の形態においては、第４の実施の形態において説明した共振器７０において、伝播手段として板状の金属よりなる線路８０を用いるようにし、第５の実施の形態において説明した共振器９０において、伝播手段として板状の金属よりなる線路８４を用いるようにしたが、これに限られるものではないことは勿論である。
【０１４４】
即ち、線路８０および線路８４に代えて、第２の実施の形態において説明した共振器３０のように、導体パターンが形成された絶縁基板を用いるようにしてもよく、または、第３の実施の形態において説明した共振器５０のように、金属線を用いるようにしてもよい。
【０１４５】
このとき、線路８４に代えて用いられる絶縁基板においては、絶縁基板表面に形成された導体パターンを、絶縁基板に設けられた孔を通って裏面の当該孔の周辺まで達するように形成することで、絶縁基板を結合棒９６にネジ９８により固定する際に、導体パターンと結合棒９６とが接した状態となり、導体パターンと結合棒９６とが電気的に接続された状態となる。
【０１４６】
（４）上記した実施の形態においては、共振器１０、３０、５０、７０、９０において共振棒を共振器ケースに一体形成するようにしたが、共振棒を共振器ケースに短絡状態で接続すれば共振棒と共振器ケースとを一体形成しなくてもよいことは勿論である。
【０１４７】
（５）上記した実施の形態においては、共振器１０、３０、５０、７０において結合棒を共振器ケースと一体形成するようにしたが、結合棒を共振器ケースに短絡状態で配置するようにすれば結合棒と共振器ケースとを一体形成しなくてもよいことは勿論である。
【０１４８】
（６）上記した実施の形態においては、共振器７０において、共振棒７４と結合棒７６とを一体形成するようにしたが、結合棒７６を共振棒７４に短絡状態で配置するようにすれば結合棒７６と共振棒７４とを一体形成しなくてもよいことは勿論である。
【０１４９】
（７）上記した実施の形態ならびに上記した（１）乃至（６）に示す変形例は、適宜に組み合わせるようにしてもよい。
【産業上の利用可能性】
【０１５０】
本発明は、マイクロ波通信装置などに用いられるフィルタ装置を構成する共振器として使用することができる。
【符号の説明】
【０１５１】
１０、３０、５０、７０、９０、１００、１１０、１２０        共振器
１２、３２、５２、７２、９２、１０２、１１２、１２２        共振器ケース
１４、３４、５４、７４、９４、１０４、１１４、１２４、２０４ａ、２０４ｂ２０４ｃ、２０４ｄ、５０４ａ、５０４ｂ、５０４ｃ、５０４ｄ        共振棒
１６、３６、５６、７６、９６、１０６、２０６、２０８、５０６、５０８        結合棒
１８、３８、５８、７８、９８、５２４、５２６        ネジ
２０、８０、８４、１１６、１２６、２１０、５１０        線路
４０、６１０        絶縁基板
６０、７１０        金属線
８２、９１２、９１４        スペーサ
【図１】
0005341121.tif 000002
【図２】
0005341121.tif 000003
【図３】
0005341121.tif 000004
【図４】
0005341121.tif 000005
【図５】
0005341121.tif 000006
【図６】
0005341121.tif 000007
【図７】
0005341121.tif 000008
【図８】
0005341121.tif 000009
【図９】
0005341121.tif 000010
【図１０】
0005341121.tif 000011
【図１１】
0005341121.tif 000012
【図１２】
0005341121.tif 000013
【図１３】
0005341121.tif 000014
【図１４】
0005341121.tif 000015
【図１５】
0005341121.tif 000016
【図１６】
0005341121.tif 000017